(57)【要約】【課題】  外部装置に転送した画像をアルバムとの対応で容易に特定することができ、外部装置と接続することにより転送した画像を外部装置から容易に取り寄せてアルバムで再生することのできる画像再生装置及び画像再生方法を提供する。【解決手段】  画像ファイルのアドレスをアルバムファイルに登録する画像ファイル登録手段と、画像再生装置と信号接続する外部装置に、アルバムファイルと登録された画像ファイルとを送信してコピーさせる送信手段と、画像ファイルの容量を減少したサムネイル画像ファイルを生成するサムネイル生成手段と、登録された画像ファイルを削除して、アルバムファイルにサムネイル画像ファイルのアドレスを登録するサムネイルファイル登録手段とを備えた画像再生装置。【選択図】    図１
2006101233.tif 000002
【特許請求の範囲】
【請求項１】
画像ファイルをグループ化して再生するアルバム機能を備えた画像再生装置において、
前記画像ファイルのアドレスをアルバムファイルに登録する画像ファイル登録手段と、
前記画像再生装置と信号接続する外部装置に、前記アルバムファイルと登録された前記画像ファイルとを送信してコピーさせる送信手段と、
前記画像ファイルの容量を減少したサムネイル画像ファイルを生成するサムネイル生成手段と、
登録された前記画像ファイルを削除して、前記アルバムファイルに前記サムネイル画像ファイルのアドレスを登録するサムネイルファイル登録手段と
を備えたことを特徴とする画像再生装置。
【請求項２】
前記外部装置に対して、コピーさせた前記アルバムファイルを要求するアルバム要求手段と、
この要求に対応して、前記外部装置から送信される前記アルバムファイルと、このアルバムファイルに登録された前記画像ファイルとを受信する受信手段と、
受信した前記画像ファイルを保存すると共に、受信した前記アルバムファイルで、既存のアルバムファイルを置き換える格納手段と、
前記サムネイル画像ファイルを削除する削除手段と
を備えたことを特徴とする請求項１に記載の画像再生装置。
【請求項３】
前記外部装置に対して、コピーさせた少なくとも１つの前記画像ファイルを要求する画像ファイル要求手段と、
この要求に対応して、前記外部装置から送信される前記画像ファイルを受信する受信手段と、
受信した前記画像ファイルを保存すると共に、前記画像ファイルのアドレスを前記アルバムファイルに登録する登録更新手段と、
受信した前記画像ファイルに対応する前記サムネイル画像ファイルを削除する削除手段と
を備えたことを特徴とする請求項１に記載の画像再生装置。
【請求項４】
前記サムネイル画像ファイルは、
前記画像ファイルを縮小した画像ファイル、あるいは前記画像ファイルの一部分からなる画像ファイルであることを特徴とする請求項１乃至３のいずれか１項に記載の画像再生装置。
【請求項５】
前記サムネイル画像ファイルには、サムネイル画像であることを現す情報が格納されていることを特徴とする請求項１乃至３のいずれか１項に記載の画像再生装置。
【請求項６】
前記外部装置にコピーしたアルバムファイルを再生するときは、前記サムネイル画像ファイルを再生することを特徴とする請求項１乃至３のいずれか１項に記載の画像再生装置。
【請求項７】
前記アルバムファイルには、前記サムネイル画像ファイルが登録されていることを表す情報が記載されていることを特徴とする請求項１乃至３のいずれか１項に記載の画像再生装置。
【請求項８】
前記アルバムファイルには、当該アルバムファイルを識別するアルバムＩＤが設けられ、
前記外部装置に対して、コピーさせた前記アルバムファイルあるいは前記画像ファイルの要求は、少なくともこのアルバムＩＤを用いて行うことを特徴とする請求項２または３に記載の画像再生装置。
【請求項９】
画像ファイルをグループ化して再生するアルバム機能を備えた画像再生装置の画像再生方法において、
前記画像ファイルのアドレスをアルバムファイルに登録する画像ファイル登録ステップと、
前記画像再生装置と信号接続する外部装置に、前記アルバムファイルと登録された前記画像ファイルとを送信してコピーさせる送信ステップと、
前記画像ファイルの容量を減少したサムネイル画像ファイルを生成するサムネイル生成ステップと、
登録された前記画像ファイルを削除して、前記アルバムファイルに前記サムネイル画像ファイルのアドレスを登録するサムネイルファイル登録ステップと
を備えたことを特徴とする画像再生方法。
【請求項１０】
前記外部装置に対して、コピーさせた前記アルバムファイルを要求するアルバム要求ステップと、
この要求に対応して、前記外部装置から送信される前記アルバムファイルと、このアルバムファイルに登録された前記画像ファイルとを受信する受信ステップと、
受信した前記画像ファイルを保存すると共に、受信した前記アルバムファイルで、既存のアルバムファイルを置き換える格納ステップと、
前記サムネイル画像ファイルを削除する削除ステップと
を備えたことを特徴とする請求項９に記載の画像再生方法。
【請求項１１】
前記外部装置に対して、コピーさせた少なくとも１つの前記画像ファイルを要求する画像ファイル要求ステップと、
この要求に対応して、前記外部装置から送信される前記画像ファイルを受信する受信ステップと、
受信した前記画像ファイルを保存すると共に、前記画像ファイルのアドレスを前記アルバムファイルに登録する登録更新ステップと、
受信した前記画像ファイルに対応する前記サムネイル画像ファイルを削除する削除ステップと
を備えたことを特徴とする請求項９に記載の画像再生方法。
【発明の詳細な説明】
【技術分野】
【０００１】
本発明は、画像ファイルをグループ化して再生するアルバム機能を備えた画像再生装置の画像再生技術に関し、特に、画像ファイルを外部に移動した場合であっても、アルバムの内容を簡易に再生する技術に関する。
【背景技術】
【０００２】
カメラ等の画像記録・再生装置で記録した画像を、ＰＣ等に転送して管理する技術として、特許文献１の技術が知られている。
【０００３】
この文献には、ＰＣ等に画像を転送した後、再びＰＣ等に同一画像を転送することを防止すると共に、いまだＰＣ等に転送されていない画像の選択操作を簡便化する技術が開示されている。
【特許文献１】特開２００１−６９２９６号公報
【発明の開示】
【発明が解決しようとする課題】
【０００４】
ところで、カメラにはアルバムファイルを使用して同じ記録媒体に含まれるファイルをグループ化して再生するアルバム機能が設けられているが、カメラからＰＣに画像を転送した後は、その転送した画像をアルバムで再生することができない。
【０００５】
しかしながら、転送したときでも画像を常にカメラに残しておくとすると、カメラ内の記憶媒体の容量の制約から、撮影が続行できなくなる恐れがある。そこで、転送時にはカメラから画像を削除して記憶媒体が満杯になるのを防止しつつ、その画像を再生したい場合には、転送先のＰＣから転送した画像を取り出してアルバムで再生することが考えられる。
【０００６】
しかしながら、特許文献１に記載された技術には、ＰＣに転送した画像をアルバムとの対応で特定する仕組み、及びＰＣに転送した画像を容易に取り出してアルバムで再生するための仕組みについての記載はない。
【０００７】
本発明は、係る事情に鑑みてなされたものであって、外部装置に転送した画像をアルバムとの対応で容易に特定することができ、外部装置と接続することにより転送した画像を外部装置から容易に取り寄せてアルバムで再生することのできる画像再生装置及び画像再生方法を提供することを目的とする。
【課題を解決するための手段】
【０００８】
上記課題を解決するための、本発明に係る請求項１に記載の画像再生装置は、画像ファイルをグループ化して再生するアルバム機能を備えた画像再生装置において、前記画像ファイルのアドレスをアルバムファイルに登録する画像ファイル登録手段と、前記画像再生装置と信号接続する外部装置に、前記アルバムファイルと登録された前記画像ファイルとを送信してコピーさせる送信手段と、前記画像ファイルの容量を減少したサムネイル画像ファイルを生成するサムネイル生成手段と、登録された前記画像ファイルを削除して、前記アルバムファイルに前記サムネイル画像ファイルのアドレスを登録するサムネイルファイル登録手段とを備えた。
【０００９】
また、本発明に係る請求項２に記載の画像処理装置は、上記記載の発明である画像再生装置において、前記外部装置に対して、コピーさせた前記アルバムファイルを要求するアルバム要求手段と、この要求に対応して、前記外部装置から送信される前記アルバムファイルと、このアルバムファイルに登録された前記画像ファイルとを受信する受信手段と、受信した前記画像ファイルを保存すると共に、受信した前記アルバムファイルで、既存のアルバムファイルを置き換える格納手段と、前記サムネイル画像ファイルを削除する削除手段とを備えた。
【００１０】
また、本発明に係る請求項３に記載の画像処理装置は、上記記載の発明である画像再生装置において、前記外部装置に対して、コピーさせた少なくとも１つの前記画像ファイルを要求する画像ファイル要求手段と、この要求に対応して、前記外部装置から送信される前記画像ファイルを受信する受信手段と、受信した前記画像ファイルを保存すると共に、前記画像ファイルのアドレスを前記アルバムファイルに登録する登録更新手段と、受信した前記画像ファイルに対応する前記サムネイル画像ファイルを削除する削除手段とを備えた。
【００１１】
また、本発明に係る請求項４に記載の画像処理装置は、上記記載の発明である画像再生装置において、前記サムネイル画像ファイルは、前記画像ファイルを縮小した画像ファイル、あるいは前記画像ファイルの一部分からなる画像ファイルである。
【００１２】
また、本発明に係る請求項５に記載の画像処理装置は、上記記載の発明である画像再生装置において、前記サムネイル画像ファイルには、サムネイル画像であることを現す情報が格納されている。
【００１３】
また、本発明に係る請求項６に記載の画像処理装置は、上記記載の発明である画像再生装置において、前記外部装置にコピーしたアルバムファイルを再生するときは、前記サムネイル画像ファイルを再生する。
【００１４】
また、本発明に係る請求項７に記載の画像処理装置は、上記記載の発明である画像再生装置において、前記アルバムファイルには、前記サムネイル画像ファイルが登録されていることを表す情報が記載されている。
【００１５】
また、本発明に係る請求項８に記載の画像処理装置は、上記記載の発明である画像再生装置において、前記アルバムファイルには、当該アルバムファイルを識別するアルバムＩＤが設けられ、前記外部装置に対して、コピーさせた前記アルバムファイルあるいは前記画像ファイルの要求は、少なくともこのアルバムＩＤを用いて行う。
【００１６】
また、本発明に係る請求項９に記載の画像処理方法は、画像ファイルをグループ化して再生するアルバム機能を備えた画像再生装置の画像再生方法において、前記画像ファイルのアドレスをアルバムファイルに登録する画像ファイル登録ステップと、前記画像再生装置と信号接続する外部装置に、前記アルバムファイルと登録された前記画像ファイルとを送信してコピーさせる送信ステップと、前記画像ファイルの容量を減少したサムネイル画像ファイルを生成するサムネイル生成ステップと、登録された前記画像ファイルを削除して、前記アルバムファイルに前記サムネイル画像ファイルのアドレスを登録するサムネイルファイル登録ステップとを備えた。
【００１７】
また、本発明に係る請求項１０に記載の画像処理方法は、上記記載の発明である画像再生方法において、前記外部装置に対して、コピーさせた前記アルバムファイルを要求するアルバム要求ステップと、この要求に対応して、前記外部装置から送信される前記アルバムファイルと、このアルバムファイルに登録された前記画像ファイルとを受信する受信ステップと、受信した前記画像ファイルを保存すると共に、受信した前記アルバムファイルで、既存のアルバムファイルを置き換える格納ステップと、前記サムネイル画像ファイルを削除する削除ステップとを備えた。
【００１８】
また、本発明に係る請求項１１に記載の画像処理方法は、上記記載の発明である画像再生方法において、前記外部装置に対して、コピーさせた少なくとも１つの前記画像ファイルを要求する画像ファイル要求ステップと、この要求に対応して、前記外部装置から送信される前記画像ファイルを受信する受信ステップと、受信した前記画像ファイルを保存すると共に、前記画像ファイルのアドレスを前記アルバムファイルに登録する登録更新ステップと、受信した前記画像ファイルに対応する前記サムネイル画像ファイルを削除する削除ステップとを備えた。
【発明の効果】
【００１９】
本発明の画像再生技術によれば、外部装置に転送した画像をアルバムとの対応で容易に特定することができ、外部装置と接続することにより転送した画像を外部装置から容易に取り寄せてアルバムで再生することができる。
【発明を実施するための最良の形態】
【００２０】
図１は、本発明に係る実施の形態の画像再生装置を用いた画像再生システムの構成を示す図である。
【００２１】
画像再生システムは、ＰＣ１、画像再生装置であるカメラ２及びそれらを接続する通信ライン３で構成されている。ここで、ＰＣ１は、画像を記憶・管理する情報処理端末であり、カメラ２は、画像を記録し再生する機能を備えた画像再生装置である。
【００２２】
ＰＣ１は、通信部１０、画像ＤＢ１１、画像処理部１２、及びコントロール部１３で構成されている。
【００２３】
通信部１０は、カメラ２との間で各種情報交換を行うためのインターフェースである。画像ＤＢ１１は、カメラ２から受取った画像データ等を記憶する。画像処理部１２は、カメラ２からの要求に応じて画像データ等を検索して抽出する。コントロール部１３は、上述の各部の動作を統括的に制御する。
【００２４】
カメラ２は、通信部２０、撮像部２１、コントロール部２２、画像ＤＢ２３、画像処理部２４、表示部２５、及び操作部２６で構成されている。
【００２５】
通信部２０は、ＰＣ１との間で各種情報交換を行うためのインターフェースである。撮像部２１は、被写体の光像を取得して画像データに変換する。コントロール部２２は、カメラ２を統括的に制御する。画像ＤＢ２３は、画像データを記憶する。画像処理部２４は、画像を記憶・管理するとともにアルバムの作成・管理・再生などを行う。表示部２５は、カメラ２内に記憶されている画像や撮影情報等を表示する。操作部２６は、ユーザからの操作指示を受け取る。
【００２６】
通信ライン３は広く情報の送受信に用いられる経路のことで、導電線、光ファイバなどの有線を用いた通信に限られず、光、音波、電波などを用いた無線通信も含まれる。
【００２７】
続いて、このように構成された画像再生システムにおける、カメラ２の動作について説明する。
【００２８】
ユーザがカメラ２の表示部２５に表示されるメニューから「アルバムファイルの作成」を選択すると、図２に示す、アルバムファイルの作成処理が実行される。
【００２９】
ステップＳ０１において、画像処理部２４が表示部２５にメニュー画面（不図示）を表示する。このメニュー画面には、「アルバム選択」、「アルバム新規作成」、「キャンセル」のメニューが表示されている。
【００３０】
ユーザが、操作部２６から「キャンセル」を選択すると、ステップＳ０２でＹｅｓの処理を実行する。即ち画像処理部２４は、アルバムファイルの作成処理を終了する。
【００３１】
ユーザが、操作部２６から「アルバム新規作成」を選択すると、ステップＳ０３でＮｏの処理を実行する。即ち、ステップＳ０４〜０６において、画像処理部２４は、新たにアルバムファイルを作成し、そのアルバムファイルに付与するアルバム名とアルバムＩＤとを生成する。
【００３２】
図３は、アルバムファイルの内容を示す図であり、図４は、アルバムファイルに関連するフォルダツリーを示す図である。図３と図４を参照しつつ、アルバムファイルの構成について説明する。
【００３３】
図３に示すアルバムファイル３０には、アルバムＩＤ３０ａ、画像アドレス３０ｂが記載されている。アルバムＩＤ３０ａは、そのアルバムファイル３０を識別するためのユニークな値で構成されている。画像アドレス３０ｂは、そのアルバムに登録された画像が存在するルート情報である。
【００３４】
図３に示すアルバムＩＤは、メーカ名（ＯＬ）、シリアルＮｏ（１２３４５）、日付（２００４０６２１）及び連番（００１）で構成しているが、この例に限定されず、ユニークな値となるのであれば種々の構成を採用することができる。
【００３５】
例えば、時刻を追加して、アルバムＩＤをメーカ名、シリアルＮｏ、日付、時刻及び連番で構成しても良い。また、ネットワークカードのＭＡＣアドレス、連番（例えば、１２３４：５６７８：９ａｂｃｄ：ｅｆ０１＿０００１）で構成しても良く、更にこの構成にアルバムタイトルを追加しても良い（例えば、００００：００００：００００：０００１＿０００１＿スキー）。
【００３６】
図３に示す画像アドレス３０ｂを参照することで、第１番目の画像は、フォルダ「ＤＣＩＭ」の下位のフォルダ「１００ＯＬ」に、「Ｐ６２１０００１」というファイル名で格納されていることがわかる。また、この画像ファイルの、拡張子がＪＰＧであることもわかる。
【００３７】
図４に示すフォルダ構成によれば、複数のアルバムファイル３０は、画像データが格納されているフォルダ「１００ＯＬ」とは別のフォルダ「ＡＬＢ」に格納されていることが示される。従って、アルバムファイル３０には、登録された画像データが格納されていないため、その容量が小さく、記憶媒体を圧迫することがない。
【００３８】
図２に戻り、ステップＳ０７において、画像処理部２４は、新規に作成したアルバムに登録する画像を選択する。なお、ユーザが、操作部２６から「アルバム選択」を選択（ステップＳ０３のＹｅｓ）してアルバムを特定した場合も、このステップＳ０７が実行される。
【００３９】
図５は、画像に関する情報をアルバムファイルに登録するための登録画面を示す図である。この登録画面には、画像データと操作モジュールが表示されている。ユーザは、操作部２６から、表示部２５に表示されている十字キー、押しボタンを操作することで、画像データを選択すると共に動作を指示することができる。
【００４０】
ユーザが登録画面のキャンセルボタンを操作すると、ステップＳ０８でＹｅｓの処理を実行する。即ち画像処理部２４は、アルバムファイルの作成処理を終了する。
【００４１】
ユーザが画像データを選択して登録画面のＯＫボタンを操作すると、ステップＳ１０において、画像処理部２４は、その画像に関する情報（アドレスなど）を選択されているアルバムファイル３０に追加する。そして、ステップＳ０７に戻り、次の画像の登録処理を続行する。
【００４２】
次に、アルバムをＰＣ１に移動する動作について説明する。図６は、アルバムファイルの移動動作を示すフロー図である。
【００４３】
ユーザがカメラ２の表示部２５に表示されるメニューから「アルバムファイルの移動」を選択すると、図６のステップＳ１５において、画像処理部２４は、ＰＣ１に未転送のアルバムファイル３０を検索する。アルバムファイル３０が転送済みか否かの判断方法は、後で詳しく説明する。そして、ステップＳ１６において、図７に示すアルバム選択画面を表示する。
【００４４】
アルバム選択画面には、未転送のアルバムファイル３０と操作モジュールが表示されている。ユーザは、操作部２６から、表示部２５に表示されている十字キー、押しボタンを操作することで、転送するアルバムファイル３０を選択すると共に動作を指示することができる。
【００４５】
ユーザがアルバム選択画面のキャンセルボタンを操作すると、ステップＳ１７でＹｅｓの処理を実行する。即ち画像処理部２４は、アルバムファイルの移動処理を終了する。
【００４６】
ユーザがアルバムファイルを選択してアルバム選択画面のＯＫボタンを操作すると、ステップＳ１８において、画像処理部２４は、選択されたアルバムファイル３０を通信部２０を介してＰＣ１に送信する。なお、この動作は、アルバムファイルをコピーする処理であるため、転送後においても、当該アルバムファイル３０はカメラ２内に存在している。
【００４７】
ステップＳ１９において、画像処理部２４は、選択された画像のサムネイル画像を生成する。そして、ステップＳ２０〜Ｓ２１において、当該アルバムファイル３０に登録されている画像データ（以下、主画像という）をＰＣ１に移動し、カメラ２内の主画像を削除する。なお、サムネイル画像は、主画像のファイル容量を減少した画像であり、例えば、主画像の縮小画像あるいは主画像の一部分（断片）の画像であっても良い。
【００４８】
そして、画像処理部２４は、選択されたアルバムファイル３０にサムネイル画像に関する情報を登録し、ステップＳ１５に戻ってユーザの次の操作を待機する。
【００４９】
図８、図９は、サムネイル画像に関する情報を登録する方法を示す図である。
【００５０】
図８の（１）は、元のアルバムファイル３０の内容を示している。この内容は図３ですでに説明しているためその詳細の説明は省略する。
【００５１】
図８の（２）は、移動済のアルバムファイル３０の内容を示している。この例では、サムネイル画像を主画像のファイル名の一部が異なったファイル名で登録する。例えば、ＴＨＭＢから始まるファイル名を登録する。従って、アルバムファイル３０に登録されている画像のファイル名が「ＴＨＭＢ」から始まっていれば、このアルバムファイル３０は、すでにＰＣ１にコピーされ、主画像が移動されていることがわかる。
【００５２】
図９の（１）は、他の例による移動済のアルバムファイル３０の内容を示している。この例では、サムネイル画像には主画像と同じファイル名を付与するが、アルバムファイル内を調べるとサムネイル画像であることが識別できる。例えば、主画像では「ＰＩＣＮＯ＝」と記載されているのに対して、サムネイル画像では「ＴＨＵＭＢ＿ＮＯ」と記載する。あるいは、ルート情報に「ＴＨＭ」を追加することで識別しても良い。
【００５３】
図９の（２）は、他の例による移動済のアルバムファイル３０の内容を示している。この例では、サムネイル画像には主画像と同じファイル名を付与するが、画像ファイル内の情報を調べるとサムネイル画像であることが識別できる。サムネイル画像であることを特定するために使用する情報として、例えば、画像サイズ情報、サムネイル画像であることを示すフラグなどを画像ファイル内に設けることができる。
【００５４】
図１０は、移動処理に伴う、ＰＣ１とカメラ２内のアルバムファイルと画像データの状態を示す図である。
【００５５】
図１０の（１）は、アルバムファイル移動前の状態を表している。カメラ２には、アルバムファイル３０とそのアルバムファイル３０に登録された画像データ（主画像）が保存されている。なお、アルバムファイル３０と主画像とが矢印で対応付けられているが、これは、アルバムファイル３０内に当該主画像のアドレスが登録されていることを表している。
【００５６】
図１０の（２）は、図６のステップＳ１８〜Ｓ１９の処理後の状態を表している。ＰＣ１には、アルバムファイル３０のコピーであるアルバムファイル３０′が生成され、カメラ２には、サムネイル画像が生成されている。この状態では、カメラ２内のアルバムファイル３０内には、移動前の状態と同じく主画像のアドレスが登録されている。
【００５７】
図１０の（３）は、図６のステップＳ２０〜Ｓ２２の処理後の状態を表している。ＰＣ１には、更に主画像が移動されている。以下、ＰＣ１内の主画像を「ＰＣ画像」といい、カメラ２内の主画像と呼称を区別する。アルバムファイル３０′内には、ＰＣ画像のアドレスが登録されているが、これに記載されているアドレスは、カメラ２のアルバムファイル３０のアドレスと同一である。そして、カメラ２内からは、主画像が削除され、アルバムファイル３０内には、サムネイルのアドレスが登録される。
【００５８】
次に、カメラ２においてアルバムファイルを再生する動作について説明する。図１１は、アルバムファイル再生処理の概略の手順を示すフロー図である。
【００５９】
ユーザがカメラ２の表示部２５に表示されるメニューから「アルバムファイルの再生」を選択すると、図１１のステップＳ３０〜Ｓ３１において、画像処理部２４は、アルバムファイル３０を検索する。そして、アルバムファイル３０が転送済みか否かを認識し、図７に示すアルバム選択画面を表示する。
【００６０】
アルバム選択画面には、アルバムファイル３０と操作モジュールが表示されている。ユーザは、操作部２６から、表示部２５に表示されている十字キー、押しボタンを操作することで、再生するアルバムファイル３０を選択すると共に動作を指示することができる。
【００６１】
ユーザがアルバム選択画面のキャンセルボタンを操作すると、ステップＳ３２でＹｅｓの処理を実行する。即ち画像処理部２４は、アルバムファイルの再生処理を終了する。
【００６２】
ユーザがアルバムファイルを選択してアルバム選択画面のＯＫボタンを操作すると、画像処理部２４は、ステップＳ３３に示すアルバム再生処理（図１２）を実行する。
【００６３】
図１２のステップＴ０１〜Ｔ０３において、アルバムファイル３０に登録されている最初の画像（ｎ＝１）を表示して、ユーザのキー操作がなされるまで待機する。ここで、アルバムファイル３０がすでにＰＣ１に移動されている場合は、カメラ２には主画像は存在しないため、表示部２５にはサムネイル画像を表示する。なお、サムネイル画像を表示したときは、表示部２５には、サムネイル画像である旨のメッセージをその画像とともに表示する。
【００６４】
ユーザがアルバム選択画面のキャンセルボタンを操作すると、ステップＴ０４でＹｅｓの処理を実行する。即ち画像処理部２４は、図１１にリターンしてアルバムファイルの再生処理を終了する。
【００６５】
ユーザがアルバム選択画面の方向キーを操作すると、ステップＴ０７において、そのキーに応じて画像を選択して再生する。例えば、「→」キーが押された場合は、次の画像を表示し、「←」キーが押された場合は、前の画像を表示する。
【００６６】
ユーザが表示部２５に表示されたサムネイル画像を確認して、その画像の主画像を得たいと考えたときは、ステップＴ０５において、主画像の取り寄せを指示する。主画像の取り寄せ動作は、サムネイル画像の表示に合わせて表示される、「画像取り寄せ」ボタン（不図示）を操作することによって実行しても良い。
【００６７】
画像取り寄せが指示されたときは、ステップＴ１０において、画像処理部２４は、アルバムＩＤと、アルバムファイル３０内の画像番号（例えば、ＰＩＣＮＯ）とをＰＣ１に送信する。
【００６８】
ＰＣ１に、該当するアルバムファイル３０′あるいはＰＣ画像が存在しない場合は、その旨の応答がＰＣ１から送信される。このときは、画像処理部２４は、その旨のメッセージを表示するとともに、ステップＴ１１でＮｏの処理を実行する。即ち、ステップＴ０３に戻って、次のユーザの操作入力を待機する。
【００６９】
ＰＣ１に、該当するアルバムファイル３０′及びＰＣ画像が存在する場合は、画像処理部２４は、ステップＴ１１でＹｅｓの処理を実行する。即ち、ステップＴ１２において、画像処理部２４は、指定した主画像をＰＣ１から受信してカメラ２内に保存する。
【００７０】
そして、ステップＴ１３〜１４において、カメラ２内の該当するサムネイル画像を削除し、更に、カメラ２内のアルバムファイル３０から該当するサムネイルのパスを削除して、主画像のパスを登録する。その後、ステップＴ０２に戻って、受信した主画像を再生表示して次のユーザのキー操作入力を待機する。
【００７１】
［アルバムファイル再生処理のバリエーション］
図１３は、アルバムファイル再生処理のバリエーションの概略の手順を示すフロー図である。
【００７２】
ユーザがカメラ２の表示部２５に表示されるメニューから「アルバムファイルの再生」を選択すると、図１３のステップＳ４０〜Ｓ４１において、画像処理部２４は、アルバムファイル３０を検索する。そして、アルバムファイル３０が転送済みか否かを認識し、図１４に示すアルバム選択画面を表示する。
【００７３】
アルバム選択画面には、アルバムファイル３０と操作モジュールが表示されている。ユーザは、操作部２６から、表示部２５に表示されている十字キー、押しボタンを操作することで、再生するアルバムファイル３０を選択すると共に動作を指示することができる。
【００７４】
なお、このアルバム選択画面において、転送済のアルバムファイル３０には、チェックボックスが設けられている。このチェックボックスにチェックを入れた場合には、カメラ１は、当該アルバムファイル３０をＰＣ１から取り寄せる。なお、カメラ２がＰＣ１と接続されていない場合は、このチェックボックスは表示されない。
【００７５】
図１３に戻り、ユーザがアルバム選択画面のキャンセルボタンを操作すると、ステップＳ４２でＹｅｓの処理を実行する。即ち画像処理部２４は、アルバムファイル３０の再生処理を終了する。一方、ユーザがアルバムファイル３０を選択してアルバム選択画面のＯＫボタンを操作すると、画像処理部２４は、ステップＳ４３以降の処理を実行する。
【００７６】
選択されたアルバムファイル３０が、サムネイル画像のアルバム（即ち、既に移動済み）であり（ステップＳ４３  Ｙｅｓ）、かつアルバムファイルの取り寄せ指示がある（ステップＳ４４  Ｙｅｓ）場合は、ステップＳ４５において、画像処理部２４は、アルバムＩＤをＰＣ１に送信する。
【００７７】
一方、サムネイル画像のアルバムでなく（ステップＳ４３  Ｎｏ）、あるいはアルバムファイルの取り寄せ指示がない（ステップＳ４４  Ｎｏ）場合は、ステップＳ４９のアルバム再生処理を実行する。このアルバム再生処理は既に図１２を参照して説明しているため、再度の説明は省略する。
【００７８】
ＰＣ１に、該当するアルバムファイル３０′が存在しない場合は、その旨の応答がＰＣ１から送信される。このときは、画像処理部２４は、その旨のメッセージを表示するとともに、ステップＳ４６でＮｏの処理を実行する。即ち、ステップＳ４９のアルバム再生処理を実行する。このアルバム再生処理は既に図１２を参照して説明しているため、再度の説明は省略する。
【００７９】
ＰＣ１に、該当するアルバムファイル３０′及びＰＣ画像が存在する場合は、画像処理部２４は、ステップＳ４６でＹｅｓの処理を実行する。即ち、ステップＳ４７において、画像処理部２４は、指定したアルバムファイル３０と当該アルバムに登録されている主画像とをＰＣ１から受信してカメラ２内に保存する。
【００８０】
そして、ステップＳ４７において、カメラ２内のサムネイル画像を削除して、ステップＳ４９のアルバム再生処理を実行する。このアルバム再生処理は既に図１２を参照して説明しているため、再度の説明は省略する。
【００８１】
なお、上述の実施の形態では、カメラ２の処理は画像処理部２４が実行しているが、この形態に限定されず、画像処理部２４を複数の機能に分割して、それぞれが分担する機能を実現するようにしても良い。
【００８２】
例えば、画像処理部２４は、画像ファイルのアドレスをアルバムファイルに登録する画像ファイル登録手段と、画像再生装置と信号接続する外部装置にアルバムファイルと登録された画像ファイルとを送信してコピーさせる送信手段と、画像ファイルの容量を減少したサムネイル画像ファイルを生成するサムネイル生成手段と、登録された画像ファイルを削除してアルバムファイルにサムネイル画像ファイルのアドレスを登録するサムネイルファイル登録手段と、外部装置に対してコピーさせたアルバムファイルを要求するアルバム要求手段と、この要求に対応して、外部装置から送信されるアルバムファイルとこのアルバムファイルに登録された画像ファイルとを受信する受信手段と、受信した画像ファイルを保存すると共に受信したアルバムファイルで既存のアルバムファイルを置き換える格納手段と、サムネイル画像ファイルを削除する削除手段と、外部装置に対してコピーさせた少なくとも１つの画像ファイルを要求する画像ファイル要求手段と、この要求に対応して、外部装置から送信される画像ファイルを受信する受信手段と、受信した画像ファイルを保存すると共に、画像ファイルのアドレスをアルバムファイルに登録する登録更新手段と、受信した画像ファイルに対応するサムネイル画像ファイルを削除する削除手段とに機能を分割することができる。
【００８３】
〔実施の形態の効果〕
以上説明した、実施の形態の画像再生装置によれば、以下の効果を得ることができる。  （１）主画像は、カメラから移動してなくなるため、カメラの記憶容量を有効に使用することができる。
【００８４】
（２）主画像に変えてサムネイル画像をカメラ内に残しているため、移動した画像をサムネイル画像で再生することができる。従って、所望の主画像を容易に特定することができる。
【００８５】
（３）アルバムファイルに識別用のＩＤを設けている。従って、転送したアルバムファイルを容易にカメラに戻すことができる。
【００８６】
（４）アルバムファイル内に転送したことを示す情報を記入している。あるいは、アルバムファイルが取り扱う画像がサムネイル画像であることを識別することで、転送をしたか否かを判断することができる。従って、再度同一データを転送することはない。
【００８７】
このように、本実施の形態によれば、外部装置に転送した画像をアルバムとの対応で容易に特定することができ、外部装置と接続することにより転送した画像を外部装置から容易に取り寄せてアルバムで再生することができる。
【００８８】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００８９】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００９０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９１】
【図１】本発明に係る実施の形態の画像再生装置を用いた画像再生システムの構成を示す図。
【図２】アルバムファイルの作成処理手順を示すフロー図。
【図３】アルバムファイルの内容を示す図。
【図４】アルバムファイルに関連するフォルダツリーを示す図。
【図５】登録画面を示す図。
【図６】アルバムファイルの移動処理手順を示すフロー図。
【図７】アルバム選択画面を示す図。
【図８】サムネイル画像に関する情報を登録する方法を示す図。
【図９】サムネイル画像に関する情報を登録する方法を示す図。
【図１０】ＰＣとカメラ内のアルバムファイルと画像データの状態を示す図。
【図１１】アルバムファイル再生処理の概略の手順を示すフロー図。
【図１２】アルバム再生処理の概略の処理手順を示すフロー図。
【図１３】アルバムファイル再生処理のバリエーションの概略の手順を示すフロー図。
【図１４】アルバム選択画面を示す図。
【符号の説明】
【００９２】
１…ＰＣ、２…カメラ、３…通信ライン、１０…通信部、１１…画像ＤＢ、１２…画像処理部、１３…コントロール部、２１…撮像部、２２…コントロール部、２３…画像ＤＢ、２４…画像処理部、２５…表示部、２６…操作部、３０…アルバムファイル、３０′…アルバムファイル、３０ａ…アルバムＩＤ、３０ｂ…画像アドレス。
【図１】
2006101233.tif 000003
【図２】
2006101233.tif 000004
【図３】
2006101233.tif 000005
【図４】
2006101233.tif 000006
【図５】
2006101233.tif 000007
【図６】
2006101233.tif 000008
【図７】
2006101233.tif 000009
【図８】
2006101233.tif 000010
【図９】
2006101233.tif 000011
【図１０】
2006101233.tif 000012
【図１１】
2006101233.tif 000013
【図１２】
2006101233.tif 000014
【図１３】
2006101233.tif 000015
【図１４】
2006101233.tif 000016